(57)【特許請求の範囲】
【請求項１】
上下方向に隣接する外装材の対向する端部が凹凸嵌合され、上端部が建物躯体と固定される外装材の張り替え方法であって、
張り替え対象の外装材のみを前記建物躯体から取り外す工程と、
第１の固定金物を上端部に設けた張り替え用外装材を、取り外した領域に配置して、上側の外装材と凹凸嵌合する工程と、
前記張り替え用外装材の屋内側から、前記建物躯体と連結される第２の固定金物を介して締結部材を前記第１の固定金物に固定する工程とを備え、
前記凹凸嵌合する工程は、
前記張り替え用外装材の上端部を挟み込む形状を有し、裏面側部分に孔が形成された前記第１の固定金物を準備する工程を含み、
前記固定する工程は、
孔が形成された第２の固定金物を準備する工程と、
前記第１の固定金物の孔と前記第２の固定金物の孔とが連通するように配置する工程と、
前記締結部材を前記第２の固定金物の孔、前記第１の固定金物の孔及び前記張り替え用外装材の上端部を貫通させ、前記締結部材と前記第１の固定金物の表面側部分とを螺合させる工程とを含む、外装材の張り替え方法。
【請求項２】
前記外装材は、金属製の表面材と、裏面材と、前記表面材と前記裏面材との間に配置される芯材とを含む、請求項１に記載の外装材の張り替え方法。
【請求項３】
前記外装材は、金属サイディングパネルである、請求項２に記載の外装材の張り替え方法。
【請求項４】
前記取り外す工程は、
上端部を含む領域よりも下方の領域を取り除く工程と、
前記表面材を上側の外装材との凹凸嵌合部近傍で折り曲げて荷重を加えることにより、凹凸嵌合を解除する工程と、
前記上端部と建物躯体との固定を解除する工程と、
前記上端部を含む領域を取り除く工程とを含む、請求項２または３に記載の外装材の張り替え方法。
【発明の詳細な説明】
【技術分野】
【０００１】
本発明は、外装材の張り替え方法に関する。
【背景技術】
【０００２】
上下方向に隣接する外装材の対向する端部が凹凸嵌合され、上端部が建物躯体と固定される外装材の張り替え方法として、例えば、特許第２６４７６１２号（特許文献１）が挙げられる。特許文献１には、以下のようにして、損傷した外装材を良品の外装材に張り替える方法が開示されている。まず、損傷した外装材と、その下側で隣接する外装材との２枚の外装材を取り外す。取り替える良品の外装材及びその下側の外装材にセルフドリリングビスを取り付けるとともに、縦胴縁に断面ハット形の取付下地金物を把持させておく。そして、取り替える良品の外装材とその下側の外装材とを略へ字状に仮組みした状態で、取り替える外装材とその上側で隣接する外装材とを凹凸嵌合しつつ、仮組みした下側の外装材とその下側で隣接する外装材とを凹凸嵌合する。その後、略へ字状の２枚の外装材を略直線状になるように押し込む。次に、２枚の外装材に取り付けたセルフドリリングビスを取付下地金物の取付片にそれぞれ固定する。これにより、２枚の外装材を縦胴縁に固定することができるので、損傷した外装材を良品の外装材に張り替えることができる。
【先行技術文献】
【特許文献】
【０００３】
【特許文献１】特許２６４７６１２号
【発明の概要】
【発明が解決しようとする課題】
【０００４】
上下方向に隣接する外装材の対向する端部が凹凸嵌合され、上端部が建物躯体と固定される外装材において、上記特許文献１では、１枚の外装材を張り替えるために、２枚の外装材を取り外す必要がある。つまり、張り替える必要のない外装材を取り外す工程と、張り替える必要のない外装材を建物躯体に取り付ける工程とが必要となる。このため、外装材を張り替える効率が悪いという問題がある。
【０００５】
そこで、本発明は、上記問題点に鑑み、効率的に外装材を張り替えることができる外装材の張り替え方法を提供することを課題とする。
【課題を解決するための手段】
【０００６】
本発明者は、上記特許文献１において屋外側の表面側からセルフドリリングビスを取り付けているので、張り替える必要のない外装材を取り外す工程と、張り替える必要のない外装材を建物躯体に取り付ける工程とが必要となることを突き止めた。このように、本発明者は、張り替える外装材のみを取り替える方法を鋭意研究した結果、上記課題は、表面側からセルフドリリングビスを取り付けていることに起因していることを本発明者は見出して、本発明を完成させた。
【０００７】
すなわち、本発明の外装材の張り替え方法は、上下方向に隣接する外装材の対向する端部が凹凸嵌合され、上端部が建物躯体と固定される外装材の張り替え方法であって、張り替え対象の外装材のみを建物躯体から取り外す工程と、第１の固定金物を上端部に設けた張り替え用外装材を、取り外した領域に配置して、上側の外装材と凹凸嵌合する工程と、張り替え用外装材の屋内側から、建物躯体と連結される第２の固定金物を介して締結部材を第１の固定金物に固定する工程とを備えている。
【０００８】
本発明の外装材の張り替え方法によれば、張り替え用外装材の屋内側から、建物躯体と連結される第２の固定金物と、張り替え用外装材の上端部に設けた第１の固定金物とを締結部材で締結することにより、建物躯体と張り替え用外装材とを固定している。屋内側の裏面側から締結部材を取り付けているので、張り替え対象の外装材のみを建物躯体から取り外し、張り替え用外装材のみを建物躯体に取り付けることができる。したがって、効率的に外装材を張り替えることができる。
【０００９】
本発明の外装材の張り替え方法において好ましくは、上記凹凸嵌合する工程は、張り替え用外装材の上端部を挟み込む形状を有し、裏面側部分に孔が形成された第１の固定金物を準備する工程を含み、上記固定する工程は、孔が形成された第２の固定金物を準備する工程と、第１の固定金物の孔と第２の固定金物の孔とが連通するように配置する工程と、締結部材を第２の固定金物の孔、第１の固定金物の孔及び張り替え用外装材の上端部を貫通させ、締結部材と第１の固定金物の表面側部分とを螺合させる工程とを含んでいる。
【００１０】
これにより、張り替え用外装材の上端部と建物躯体とを、屋内側の裏面側から締結部材で容易に固定することができる。
【００１１】
本発明の外装材の張り替え方法において好ましくは、外装材は、金属製の表面材と、裏面材と、表面材と裏面材との間に配置される芯材とを含んでいる。
【００１２】
金属製の表面材は変形可能であるため、張り替え用外装材のみを建物躯体に容易に取り付けることができる。
【００１３】
本発明の外装材の張り替え方法において好ましくは、外装材は、金属サイディングパネルである。これにより、張り替え対象の外装材のみを建物躯体からより容易に取り外すことができるとともに、張り替え用外装材のみを建物躯体により容易に取り付けることができる。
【００１４】
本発明の外装材の張り替え方法において好ましくは、上記外装材を取り外す工程は、上端部を含む領域よりも下方の領域を取り除く工程と、表面材を上側の外装材との凹凸嵌合部近傍で折り曲げて荷重を加えることにより、凹凸嵌合を解除する工程と、上端部と建物躯体との固定を解除する工程と、上端部を含む領域を取り除く工程とを含んでいる。
【００１５】
これにより、外装材の上端部を建物躯体との固定を解除する際に、取り替える外装材の上側に隣接する外装材の損傷を抑制することができる。
【発明の効果】
【００１６】
本発明の外装材の張り替え方法によれば、効率的に外装材を張り替えることができる。
【図面の簡単な説明】
【００１７】
【図１】本発明の実施の形態における外装材の張り替え前の状態を概略的に示す正面図である。
【図２】本発明の実施の形態における外装材を概略的に示す断面である。
【図３】本発明の実施の形態における外装材の張り替え方法を示すフローチャートである。
【図４】本発明の実施の形態において、損傷した外装材を特定した状態を概略的に示す正面図である。
【図５】本発明の実施の形態において、損傷した外装材のカット位置を概略的に示す正面図である。
【図６】本発明の実施の形態において、損傷した外装材の上端部を含む領域よりも下方の領域を取り除いた状態を概略的に示す平面図である。
【図７】本発明の実施の形態において、損傷した外装材の表面材と上側の外装材との凹凸嵌合部近傍を概略的に示す断面図である。
【図８】本発明の実施の形態において、損傷した外装材の表面材を水平に持ち上げた状態を概略的に示す断面図である。
【図９】本発明の実施の形態において、損傷した外装材と上側の外装材との凹凸嵌合部近傍で折り曲げて荷重を加える状態を概略的に示す断面図である。
【図１０】本発明の実施の形態において、損傷した外装材と上側の外装材との凹凸嵌合を解除した状態を概略的に示す断面図である。
【図１１】本発明の実施の形態において、損傷した外装材の上端部を含む領域を取り除いた状態を概略的に示す正面図である。
【図１２】本発明の実施の形態における第１の固定金物を概略的に示す斜視図である。
【図１３】本発明の実施の形態において、張り替え用外装材の上端部を第１の固定部材が挟み込んだ状態を概略的に示す正面図である。
【図１４】本発明の実施の形態において、張り替え用外装材の上端部と上側の外装材の下端部とを凹凸嵌合させた状態を概略的に示す断面図である。
【図１５】本発明の実施の形態において、張り替え用外装材の下端部と下側の外装材の上端部とを凹凸嵌合させた状態を概略的に示す断面図である。
【図１６】本発明の実施の形態における第２の固定金物を概略的に示す斜視図である。
【図１７】本発明の実施の形態において、張り替え用外装材の屋内側に位置する裏面側から、第２の固定金物を介して締結部材を第１の固定金物に固定した状態を概略的に示す断面図である。
【図１８】本発明の実施の形態において、第２の固定金物と建物躯体とを連結した状態を概略的に示す斜視図である。
【発明を実施するための形態】
【００１８】
以下、図面に基づいて本発明の実施の形態を説明する。なお、以下の図面において同一または相当する部分には同一の参照符号を付しその説明は繰り返さない。
【００１９】
図１〜図１８を参照して、本発明の一実施形態の外装材の張り替え方法について説明する。なお、本実施の形態では、各部材において、屋内側に位置する部分を裏面（図１における紙面奥）とし、屋外側に位置する部分を表面（図１における紙面手前）とする。外装材において、建て込んだ時の上方を上（図１における上）とし、下方を下（図１における下）とする。
【００２０】
まず、図１及び図２を参照して、外装材について説明する。図１に示すように、外装材（本実施の形態では上側から下側に向けて順に外装パネル１０ａ、１０ｂ、１０ｃ、１０ｄとする）は、上下方向に隣接する外装材の対向する端部が凹凸嵌合される。この外装パネル１０ａ〜１０ｄの上端部は建物躯体２０と固定されている。建物躯体２０は、例えば縦胴縁などである。なお、図１は平面図であり建物躯体２０は見えないが、図１において屋内側に位置する建物躯体２０を点線で表している。
【００２１】
外装パネル１０ａ〜１０ｄは、図２に示すように、金属製の表面材１１と、この表面材１１と反対側の裏面材１２と、表面材１１と裏面材１２との間に配置される芯材１３とを含んでおり、本実施の形態では、金属サイディングパネルである。具体的には、表面材１１は、屋外側に位置する金属材料の成形板である。この表面材１１に接して屋内側に設けられる芯材１３は、断熱材である。この芯材１３に接して屋内側に設けられる裏面材１２は、紙材である。金属サイディングパネルは、例えばＪＩＳ  Ａ  ６７１１で規定されているものを使用できる。なお、本発明の外装材は、金属サイディングパネルに特に限定されず、金属サンドイッチパネルなどであってもよい。
【００２２】
図２に示すように、外装パネル１０ａ〜１０ｄにおいて、表面材１１は、建物躯体と固定されるために上方に延出した固定部１４を有している。つまり、外装パネル１０ａ〜１０ｄの上端部は、建物躯体と固定されるために、例えばビスなどの締結部材を固定する固定部１４を有している。固定部１４は、金属製の薄板であることが好ましく、本実施の形態では表面材１１で構成されている。
【００２３】
また、外装パネル１０ａ〜１０ｄの上端部は、上側に隣接する外装パネル（以下、上側の外装パネルとも言う）と凹凸嵌合する凸部１５を有しており、外装パネル１０ａ〜１０ｄの下端部は、下側に隣接する外装パネル（以下、下側の外装パネルとも言う）と凹凸嵌合する凹部１６を有している。つまり、外装パネル１０ａ〜１０ｄの上端部は、固定部１４及び凸部１５を有しており、外装パネル１０ａ〜１０ｄの下端部は、凹部１６を有している。なお、凸部１５及び凹部１６の形状は、任意に選択される。また、上端部が凹部を有しており、下端部が凸部を有していてもよい。
【００２４】
このように、本実施の形態の外装パネル１０ａ〜１０ｄにおいて、上端部は、建物躯体２０と固定されるための固定部１４を有しており、下端部は、建物躯体２０と固定されておらず、下側の外装パネルと凹凸嵌合されている。
【００２５】
続いて、図１〜図１８を参照して、上下方向に隣接する外装パネル１０ａ〜１０ｄの対向する端部が凹凸嵌合され、上端部が建物躯体２０と固定される外装パネル１０ｃの張り替え方法について説明する。なお、建物躯体２０と外装パネル１０ａ〜１０ｄとの間には、防水シートが配置されていてもよい。
【００２６】
まず、図３に示すように、張り替え対象の外装材のみを建物躯体から取り外す（ステップＳ１０）。張り替え対象の外装材は、１枚の外装材であり、例えば施工時に損傷した外装パネルなどであり、本実施の形態では上から３番目の外装パネル１０ｃとする。この工程（ステップＳ１０）では、具体的には以下のように行う。
【００２７】
図３及び図４に示すように、外装パネル１０ａ〜１０ｄにおいて、損傷した箇所を確認し、張り替え対象の外装材である損傷パネルを特定する（ステップＳ１１）。損傷パネルである外装パネル１０ｃには、目印（図４では「×」）をつける。その後、図５に示すように、損傷パネルである外装パネル１０ｃの上端縁１０ｃ１から下方に所定間隔を隔てた位置１７及び下端縁１０ｃ２から上方に所定間隔を隔てた位置１８をカットラインとしてガイドライン（図５における一点鎖線で示すライン）を記入する。なお、図２、図４及び図５に示すように、上端縁１０ｃ１及び下端縁１０ｃ２とは、屋外側に露出する表面における上端縁及び下端縁とする。所定間隔は、例えば、２０ｍｍ以上４０ｍｍ以下である。次いで、ガイドラインに沿って、例えばグラインダー等を用いて、外装パネル１０ｃの表面材１１をカットする。そして、ガイドラインで囲まれた領域の表面材１１を取り除く。これにより、ガイドラインで囲まれた領域は、芯材１３が露出するので、この芯材１３及びその屋内側の裏面材１２を取り除く。外装パネル１０ｃの下端部は建物躯体２０と固定されておらず、外装パネル１０ｃの下端部と下側に隣接する外装パネル１０ｄの上端部とは凹凸嵌合されているので、外装パネル１０ｃの位置１８よりも下の領域を上方に引き上げることにより、下側の外装パネル１０ｄとの凹凸嵌合が解除され、外装パネル１０ｃにおける位置１８よりも下の領域を除去できる。これにより、図６に示すように、損傷パネルである外装パネル１０ｃの上端部を含む領域よりも下方の領域（図５では外装パネル１０ｃにおいて位置１７よりも下方の領域）を取り除くことができる（ステップＳ１２）。
【００２８】
その後、外装パネル１０ｃにおいて上側の外装パネル１０ｂとの凹凸嵌合部の下端（本実施の形態では上端縁１０ｃ１近傍）を起点として、ペンチなどを用いて表面材１１において折り曲げ起点よりも下方の領域１９を上方に折り曲げる。表面材１１の折り曲げ角度は、例えば外装パネル１０ａ〜１０ｄの延在方向（上下方向に延びる外壁面）に対して７０°以上、好ましくは８５°〜９５°とする。このように折り曲げ起点よりも下方の領域１９を捲った状態で、皮すきなどを用いて、芯材１３及び裏面材１２を除去する。これにより、図７に示すように、外装パネル１０ｃにおいて、建物躯体２０と固定される固定部１４と、上側の外装パネル１０ａと凹凸嵌合されている凹凸嵌合部とを有する上端部を含む領域（本実施の形態では位置１７よりも上方の領域）が残る。この上端部を含む領域は、表面材１１で構成されている。本実施の形態では、外装パネル１０ｃの上端部は、建物躯体２０とビスなどの固定具２１によって固定されている。
【００２９】
次いで、図７の矢印に示すように、外装パネル１０ｃの表面材１１において上端縁１０ｃ１よりも下方の領域１９を上方に持ち上げて、図８に示すように水平に折り曲げる。そして、図８において矢印で示す方向に荷重を加えて、外装パネル１０ｃの凹凸嵌合部である凸部１５をつぶす。凸部１５がある程度つぶれた後、図９の矢印Ａで示す方向に領域１９を引っ張る。続いて、図９の矢印Ｂで示す方向に領域１９を引っ張る。そして、図９の矢印Ａで示す方向と矢印Ｂで示す方向とに領域１９を交互に引っ張ることを繰り返す。これにより、図１０に示すように、外装パネル１０ｂの凹部１６に対して外装パネル１０ｂの凸部１５の引っ掛かりを外すことができる。このようにして、表面材１１を上側の外装パネル１０ａとの凹凸嵌合部近傍で折り曲げて荷重を加えることにより、凹凸嵌合を解除することができる（ステップＳ１３）。
【００３０】
その後、図１０の矢印に示すように、上側の外装パネル１０ｂを捲り、外装パネル１０ｃと建物躯体２０とを固定している固定具２１を取り外す。これにより、外装パネル１０ｃの上端部（本実施の形態では固定部１４）と建物躯体２０との固定を解除することができる（ステップＳ１４）。
【００３１】
このように残っている外装パネル１０ｃにおいて建物躯体２０との固定がなくなったので、外装パネル１０ｃにおける上端部を含む領域を取り除くことができる（ステップＳ１５）。これにより、図１１に示すように、損傷パネルである外装パネル１０ｃのみを取り外すことができる。張り替え対象の外装パネル１０ｃのみを建物躯体２０から取り外すステップＳ１０において、本実施の形態では表面材１１が金属である外装パネルを用いているので、表面材１１を容易に変形できるという特性を利用している。また、外装パネルが金属サイディングパネルであるので、表面材１１のみを切れば裏面材１２及び芯材１３を容易に除去できるという特性を利用している。
【００３２】
次に、図３に示すように、第１の固定金物を上端部に設けた張り替え用外装材（本実施の形態では張り替え用外装パネル１０Ｎとする）を、損傷した外装パネル１０ｃを取り外した領域に配置して、上側の外装パネル１０ｂと凹凸嵌合する（ステップＳ２０）。張り替え用外装パネル１０Ｎは、損傷したものではない良品の外装パネルである。この工程（ステップＳ２０）では、具体的には以下のように行う。
【００３３】
図３及び図１２に示すように、張り替え用外装パネル１０Ｎの上端部を挟み込む形状を有し、裏面側部分に孔が形成された第１の固定金物３０を準備する（ステップＳ２１）。裏面側部分とは、張り替え用外装パネル１０Ｎの屋内側に位置する部分である。図１２に示すように、第１の固定金物３０は、略コ字状であって、屋外側に位置する表面側部分である表面側プレート部３１と、この表面側プレート部３１と間隔を隔てて対向する裏面側プレート部３２と、表面側プレート部３１と裏面側プレート部３２との一端縁同士を接続する接続部３３とを有している。裏面側プレート部３２には、この裏面側プレート部３２を貫通する孔３４が形成されている。表面側プレート部３１及び裏面側プレート部３２の他端縁側は開口している。本実施の形態では、表面側プレート部３１及び裏面側プレート部３２の厚みは、張り替え用外装パネル１０Ｎの固定部１４の厚みよりも大きい。
【００３４】
この第１の固定金物３０を張り替え用外装パネル１０Ｎに設置するために、張り替え用外装パネル１０Ｎの上端部に第１の固定金物３０の設置箇所をマークする。マークする箇所は、第１の固定金物３０の裏面側に形成された孔３４に挿通される締結部材によって建物躯体２０に取り付けることを考慮した位置であり、本実施の形態では縦胴縁のリップ側に密接する位置である。図１３に示すように、マークをした箇所の裏面側に、第１の固定金物３０よりも大きい形状を有する防水テープ４０を配置する。防水テープ４０は、例えばブチルテープである。第１の固定金物３０の他端縁側の開口部から張り替え用外装パネル１０Ｎの上端を挿入して、マークした箇所を第１の固定金物３０で挟み込む。このとき、張り替え用外装パネル１０Ｎの裏面材１２側に第１の固定金物３０の裏面側プレート部３２が位置するように、第１の固定金物３０を配置する。これにより、張り替え用外装パネル１０Ｎの上端部に第１の固定金物３０を設置できる（ステップＳ２２）。本実施の形態では、張り替え用外装パネル１０Ｎとの固定を、建物躯体２０としてのパネルフレーム両端と２本の胴縁とで行うため、それぞれの位置に合うように合計４つの第１の固定金物３０を配置する。
【００３５】
図１４に示すように、第１の固定金物３０を上端部に設置した張り替え用外装パネル１０Ｎの上端部と、張り替え用外装パネル１０Ｎの上側の外装パネル１０ｂの下端部とを嵌合する。そして、図１５に示すように、張り替え用外装パネル１０Ｎとその上の外装パネル１０ｂとでく字状になるようにして、張り替え用外装パネル１０Ｎの下端部とその下側の外装パネル１０ｄの上端部とを嵌合する。図１４及び図１５の配置は、仮組みした状態である。このため、く字状の膨らみを屋内側に向けて押し込んで、外装パネル１０ａ、１０ｂ、１０ｄ及び張り替え用外装パネル１０Ｎの表面材１１を同一平面上に位置させる。これにより、張り替え用外装パネル１０Ｎと、その上下に隣接する外装パネル１０ｂ、１０ｄとを凹凸嵌合することができる（ステップＳ２３）。
【００３６】
次に、図３に示すように、張り替え用外装パネル１０Ｎの屋内側に位置する裏面側から、図１６に示す建物躯体２０と連結される第２の固定金物５０を介して締結部材を第１の固定金物３０に固定する（ステップＳ３０）。この工程（ステップＳ３０）では、具体的には以下のように行う。
【００３７】
図３及び図１６に示すように、孔５６が形成された第２の固定金物５０を準備する（ステップＳ３１）。図１６に示すように、第２の固定金物５０は、第１のプレート部５１と、この第１のプレート部５１から立設された第２のプレート部５２と、この第２のプレート部５２と間隔を隔てて対向する第３のプレート部５３と、第２のプレート部５２の一端縁と第３のプレート部５３の一端縁とを接続する接続部５４と、第３のプレート部５３から立設された第４のプレート部５５とを有している。第１のプレート部５１と第４のプレート部５５とは同一平面上に位置している。第１のプレート部５１には、第１の固定具と締結される締結部材が挿通される孔５６が形成されており、この孔５６は、挿通する締結部材よりも大きなルーズ孔である。第２のプレート部５２及び第３のプレート部５３には、建物躯体２０に取り付ける固定具を連通する貫通孔５７が形成されている。第２のプレート部５２と第３プレート部５３との他端縁側は開口しており、第２のプレート部５２、第３のプレート部５３及び接続部５４は、建物躯体２０を挟み込むクリップ形状となっている。
【００３８】
この第２の固定金物５０を張り替え用外装パネル１０Ｎの屋内側に位置する裏面材１２側に配置するとともに、第２の固定金物５０の孔５６と第１の固定金物３０の孔３４とが連通するように配置する（ステップＳ３２）。このステップＳ３２において、第２の固定金物５０のクリップ形状部で建物躯体２０を挟み込んで仮止めしてもよい。張り替え用外装パネル１０Ｎの裏面材１２の屋内側に防水シートが配置されている場合には屋内側から第１の固定金物３０が見えないので、裏面側から第１の固定金物３０の位置を確認し、その孔５６の位置を防水シートにマークし、マーク位置に第２の固定金物５０の孔５７が位置するように第２の固定金物５０を配置する。
【００３９】
その後、図３、図１６及び図１７に示すように、張り替え用外装パネル１０Ｎの屋内側に位置する裏面側から、締結部材６０を第２の固定金物５０の孔５６、第１の固定金物３０の孔３４及び張り替え用外装パネル１０Ｎの上端部を貫通させ、締結部材６０と第１の固定金物３０の表面側部分（表面側プレート部３１）とを螺合させる（ステップＳ３３）。本実施の形態の張り替え用外装パネル１０Ｎの固定部１４は薄い鋼板であるので、固定部１４に第１の固定金物３０を挟み込んで、第１の固定金物３０の表面側プレート部３１と締結部材６０とを螺合している。締結部材６０としてドリルビスを用いることにより、固定部１４に孔が形成されていなくても、固定部１４をドリルビスが貫通し、第１の固定金物３０の表面側プレート部３１とドリルビスとが螺合するので、第１の固定金物３０、張り替え用外装パネル１０Ｎ及び第２の固定金物５０が固定される。なお、張り替え用外装パネル１０Ｎの上端部の固定部１４に、締結部材６０を挿通するための孔を形成しておいてもよい。この工程（ステップＳ３４）では、締結部材６０で第１の固定金物３０を螺合する際に、張り替え用外装パネル１０Ｎが動かないように、張り替え用外装パネル１０Ｎの表面材１１を屋外側から押さえておくことが好ましい。
【００４０】
なお、固定方法は特に限定されず、例えば、張り替え用外装パネル１０Ｎの上端と第１の固定金物３０とを係合し、締結部材６０を第２の固定金物５０の孔５６を貫通させて、締結部材６０と第１の固定金物３０の裏面側プレート部３２とを螺合させてもよい。この場合、第１の固定金物３０の裏面側プレート部３２に孔が形成されていない。
【００４１】
次に、図３及び図１８に示すように、第２のプレート部５２と第３のプレート部５３とで建物躯体２０を挟み込み、第２のプレート部５２及び第３のプレート部５３に形成された孔５７にビスなどの固定具を挿通することにより、建物躯体２０と第２の固定金物５０とを固定する（ステップＳ３４）。このように、第１のプレート部５１が張り替え用外装パネル１０Ｎと連結されており、第２及び第３のプレート部５２、５３が建物躯体２０と連結されているので、建物躯体２０と張り替え用外装パネル１０Ｎとを固定することができる。
【００４２】
以上説明したように、本実施の形態の外装パネル１０ｃの張り替え方法（ステップＳ１０〜Ｓ３０）によれば、張り替え用外装パネル１０Ｎの屋内側から、建物躯体２０と連結される第２の固定金物５０と、張り替え用外装パネル１０Ｎの上端部に設けた第１の固定金物３０とを締結部材６０で締結することにより、建物躯体２０と、張り替え用外装パネル１０Ｎとを固定している。このように、屋内側の裏面側から締結部材６０を取り付けているので、張り替え対象の外装パネル１０ｃのみを建物躯体２０から取り外し、張り替え用外装パネル１０Ｎのみを建物躯体２０に取り付けることができる。つまり、屋外側から張り替え用外装パネル１０Ｎの上端部を建物躯体２０に固定する工程を実施しないので、張り替える必要のある外装パネル１０ｃのみを交換できるため、無駄な作業を省略できる。したがって、効率的に外装パネル１０ｃを張り替えることができる。
【００４３】
今回開示された実施の形態はすべての点で例示であって制限的なものではないと考えられるべきである。本発明の範囲は上記した実施の形態ではなくて特許請求の範囲によって示され、特許請求の範囲と均等の意味及び範囲内でのすべての変更が含まれることが意図される。
【符号の説明】
【００４４】
１０ａ〜１０ｄ  外装パネル、１０ｃ１  上端縁、１０ｃ２  下端縁、１０Ｎ  張り替え用外装パネル、１１  表面材、１２  裏面材、１３  芯材、１４  固定部、１５  凸部、１６  凹部、１７，１８  位置、１９  領域、２０  建物躯体、２１  固定具、３０  第１の固定金物、３１  表面側プレート部、３２  裏面側プレート部、３３，５４  接続部、３４，５６，５７  孔、４０  防水テープ、５０  第２の固定金物、５１  第１のプレート部、５２  第２のプレート部、５３  第３のプレート部、５５  第４のプレート部、６０  締結部材。
【図１】
0006549866.tif 000002
【図２】
0006549866.tif 000003
【図３】
0006549866.tif 000004
【図４】
0006549866.tif 000005
【図５】
0006549866.tif 000006
【図６】
0006549866.tif 000007
【図７】
0006549866.tif 000008
【図８】
0006549866.tif 000009
【図９】
0006549866.tif 000010
【図１０】
0006549866.tif 000011
【図１１】
0006549866.tif 000012
【図１２】
0006549866.tif 000013
【図１３】
0006549866.tif 000014
【図１４】
0006549866.tif 000015
【図１５】
0006549866.tif 000016
【図１６】
0006549866.tif 000017
【図１７】
0006549866.tif 000018
【図１８】
0006549866.tif 000019